(57)【要約】【課題】            空気清浄器と接続することで空気清浄器の空気清浄機能を引き出し、迅速かつ効果的に室内の空気を清浄化できる手乾燥装置を得る。【解決手段】        吸気口７から導入した空気を制御回路５により制御される高圧空気流発生部２によって加圧して高速空気流に変換し、この高速空気流により手に付着した水分を吹飛ばして乾燥させる手乾燥装置Ａについて、その高圧空気流発生部２の吸気口７を、出入口１６，１５を持つ一連の空気通路１４を構成した箱体内に空気清浄手段１３を配置した空気清浄器Ｂの空気通路１４の出口１６端に着脱可能に接続できるようにする。【選択図】          図１
2008086783.tif 000002
【特許請求の範囲】
【請求項１】
吸気口から導入した空気を制御回路により制御される高圧空気流発生部によって加圧して高速空気流に変換し、この高速空気流により手に付着した水分を吹飛ばして乾燥させる手乾燥装置であって、その高圧空気流発生部の前記吸気口を、出入口を持つ一連の空気通路を構成した箱体内に空気清浄手段を配置した空気清浄器の前記空気通路の出口端に着脱可能に接続できるようにした手乾燥装置。
【請求項２】
出入口を持つ一連の空気通路を構成した箱体内に、その空気通路を通る空気を清浄化する機能を持つ空気清浄手段を配置し、その空気通路の出口端を、吸気口から導入した空気を制御回路により制御される高圧空気流発生部によって加圧して高速空気流に変換し、この高速空気流により手に付着した水分を吹飛ばして乾燥させる手乾燥装置の前記吸気口に着脱可能に接続できるようにした空気清浄器。
【発明の詳細な説明】
【技術分野】
【０００１】
本発明は、洗浄後の濡れた手を高速空気流の噴射によって乾燥処理する手乾燥装置及び空気に含まれる臭気成分等の汚れ成分を除去する機能を備えた空気清浄器に関するものである。
【背景技術】
【０００２】
洗浄後の濡れた手を、タオルやハンカチ等で払拭せず高速空気流の噴射により水分を吹飛ばして乾燥させる手乾燥装置が開発されている。この種の装置の中には例えば、臭いを消す脱臭手段や芳香を漂わす芳香手段を備えたものもある。芳香も悪臭も共に臭いであり、脱臭手段と芳香手段を併設することはあまり意味のあることではないが、脱臭機能に関しては手乾燥装置の設置場所がトイレ等の手洗設備の近傍であることが多いことから、トイレの雰囲気改善には有効なものである。この手乾燥装置は、脱臭フィルターを通り送風機から吐出口に至る通風路と、脱臭フィルターを通らずに送風機から吐出口に至る通風路を一つのハウジングに構成し、二系統の通風路の切換えとともに送風機の運転の制御によって、手乾燥機能と消臭機能を果たすものである。なお、この種の従来技術は、特許文献１，２に開示されている。
【０００３】
【特許文献１】特開平６―３０４０９０号公報
【特許文献２】特開平７―１３６０７９号公報
【発明の開示】
【発明が解決しようとする課題】
【０００４】
上記のような従来の手乾燥装置においては、手の乾燥処理については高速空気流を吐出口から噴出させて行い、消臭処理についてはゆっくりと脱臭フィルターに空気を通過させ吐出口から処理空気を放出することによって行うため、乾燥処理時と消臭処理時とでは送風機の動作状態は大きく乖離し、構成部品の機械的ストレスが大きく故障し易い。また、二系統の通風路を切換えなければならないため、構造が複雑なうえ、その切換え制御も必要である。また、脱臭フィルターにゆっくりと処理気流を通過させるだけの機能による消臭効果はあまり高いものではなく、処理時間もかかり比較的頻繁に行う乾燥処理との連繋もとり難く、使い勝手も良くない。
【０００５】
本発明は、上記した従来の問題点に鑑みてなされたものであり、その課題とするところは、空気清浄器と接続することで空気清浄器の空気清浄機能を引き出し、迅速かつ効果的に室内の空気を清浄化できる手乾燥装置を得ることであり、手乾燥装置の送風能力を利用して効果的な空気清浄を行うことができる手乾燥装置に接続する空気清浄器を開発することも課題としている。
【課題を解決するための手段】
【０００６】
上記課題を解決するために本発明は、吸気口から導入した空気を制御回路により制御される高圧空気流発生部によって加圧して高速空気流に変換し、この高速空気流により手に付着した水分を吹飛ばして乾燥させる手乾燥装置について、その高圧空気流発生部の吸気口を、出入口を持つ一連の空気通路を構成した箱体内に空気清浄手段を配置した空気清浄器の空気通路の出口端に着脱可能に接続できるようにする手段を採用する。
【０００７】
上記課題を解決するために他の発明は、出入口を持つ一連の空気通路を構成した箱体内に、その空気通路を通る空気を清浄化する機能を持つ空気清浄手段を配置し、その空気通路の出口端を、吸気口から導入した空気を制御回路により制御される高圧空気流発生部によって加圧して高速空気流に変換し、この高速空気流により手に付着した水分を吹飛ばして乾燥させる手乾燥装置の吸気口に着脱可能に接続できるようにする手段を採用する。
【発明の効果】
【０００８】
本発明によれば、空気清浄器と接続することで空気清浄器の空気清浄機能を引き出し、迅速かつ効果的に室内の空気を清浄化できる構成の簡素な手乾燥装置が得られる。
【０００９】
他の発明によれば、手乾燥装置の機能を損なわずに手乾燥装置の送風能力を利用して効果的な空気清浄を行うことができる空気清浄器が得られる。
【発明を実施するための最良の形態】
【００１０】
本発明の手乾燥装置は、吸気口から導入した空気を制御回路により制御される高圧空気流発生部によって加圧して高速空気流に変換し、この高速空気流により手に付着した水分を吹飛ばして乾燥させるものである。手乾燥装置の高圧空気流発生部の吸気口は、箱体内に空気清浄手段を配置した空気清浄器の空気通路の出口端に着脱可能に接続できるようになっている。これにより、手乾燥装置の高圧空気流発生部は、手乾燥のための高圧空気流を、空気清浄器を経て取入れた室内の空気により生成することになる。
【００１１】
実施の形態１．
図１〜図３によって示す実施の形態は、高速空気流の噴射によって手を乾燥させる手乾燥装置Ａに関するものである。この手乾燥装置Ａは、図１と図２に示すように手挿入口を有する外殻をなす本体箱体１内に組込まれた高圧空気流発生部２による高圧空気流が出し入れ口近傍に送られて、出し入れ口に続く処理室を構成する手挿入部３内に水分を吹飛ばす手乾燥に関する作動気流としての高速空気流を形成するものである。
【００１２】
手挿入部３は本体箱体１の上部（図１参照）又は正面（図２参照）に、両手を揃えた状態で挿抜できる、出し入れ口と両側方の開放した深底の開放容器構造に構成されている。手挿入部３の底部には排水口が設けられ、排水管によって下部に出し入れ可能に設けられた水受容器４に接続されている。
【００１３】
高圧空気流発生部２は、ＤＣブラシレスモーター（通常の整流子モーター又は誘導電動機であっても良い）と、これを駆動させる駆動回路及びＤＣブラシレスモーターによって回転するターボファン又は遠心ファンにより構成され、この実施の形態では本体箱体１の手挿入部３の下方（図１参照）や上方（図２参照）に取付けられていて、図３に示すように制御回路５によって自動運転される。高圧空気流発生部２の吸気側は、本体箱体１内に設けられた吸気通路６に臨んでいて、本体箱体１の下部に開口した吸気通路６端の吸気口７から空気を吸込むことができるようになっている。この吸気口７の口縁には気密保持用のパッキン８が下方に少し突出する状態に装着されている。制御回路５には外部信号を取込むための信号線９が接続され、外部信号を受信したときには、外部信号により高圧空気流発生部２を駆動させる。
【００１４】
高圧空気流発生部２の吹出口は、ダクトに接続されこのダクトの端には、高圧空気流発生部２から送られてくる高圧空気流を高速の気流に変換し、手挿入部３に横列のライン状に吹出すエアーノズル１０が接続されている。エアーノズル１０は、手挿入部３の出し入れ口近傍の略中央に噴出口を下向きにして横方向に取付けられ、手挿入部３内に入れた手に作動気流としての高速空気流を吹付け、手を擦り合わせることなく手に付いた水滴を手の表面から剥離し手挿入部３内へ吹飛ばす。
【００１５】
この手乾燥装置Ａは、単独では手乾燥処理機能だけを果たす。即ち、出し入れ口から手挿入部３内に両手を揃えた状態で概ね手首付近まで入れると、手を検知する手検知センサー１１によって手が検知され、制御回路５の処理により高圧空気流発生部２が作動し、エアーノズル１０から高い運動エネルギーを持つ高速空気流であるライン状噴流が手挿入部３内に吹出され、挿入された手に当り手に付着した水分を手挿入部３の奥側や下側へ吹飛ばす。さらに、手挿入部３内で手を挿抜させることによって、手全体に付着していた水分が全て排除され、手が乾燥処理される。そして手の乾燥処理終了後、手を手挿入部３から完全に抜くと、手を検知する手検知センサー１１で手を抜いたことが検知され、高圧空気流発生部２が停止する。
【００１６】
また、手乾燥装置Ａは、図１や図２に示すように空気清浄器Ｂと接続することができる。空気清浄器Ｂは、キャビネット型の本体箱体１２内に空気清浄手段１３を配置して構成されている。本体箱体１２内は広い容積の空気通路１４が形成され、この空気通路１４を斜めに横断するかたちに空気清浄手段１３が配置されている。空気通路１４は本体箱体１２の正面に入口１５が開口し、本体箱体１２の平坦な上面に出口１６が開口している。この出口１６は、手乾燥装置Ａを本体箱体１２の上面に載置することにより手乾燥装置Ａの吸気口７と気密状態に接続される。空気清浄手段１３は臭い成分をイオン化して除去する脱臭フィルターを出口側にし、これに塵埃を除去するプレフィルターを組合わせた構成であり、圧力損失を小さくするために有効透過面積が広く構成されている。本体箱体１２の容積には大きさの制約がないため、空気清浄手段１３を有効透過面積の広い圧力損失の小さいものにすることができる。
【００１７】
この空気清浄器Ｂの上に出口１６と吸気口７が整合するように手乾燥装置Ａを載置すれば、パッキン８が潰れて接続部の周りが気密状態になり、空気通路１４の入口１５と出口１６間が手乾燥装置Ａの吸気通路６と連通する。これにより、手乾燥装置Ａの高圧空気流発生部２は、手乾燥のための高圧空気流を、空気清浄器Ｂを経て取入れた室内の空気により生成することになる。空気清浄器Ｂを経た空気は、プレフィルターと脱臭フィルターの透過により除塵脱臭され、清浄化されたもので、この清浄化された空気がエアーノズル１０から高速空気流となって噴出され、手の乾燥にそのまま使われる。従って、乾燥処理運転によって室内の空気は清浄化していくことになる。
【００１８】
空気清浄器Ｂは、汚濁空気を吸込み、清浄化して室内に拡散させるための送風機がなく、その機能を手乾燥処理に支障を来すことなく手乾燥装置Ａに任せることになる。一方、手乾燥装置Ａは、乾燥処理時も脱臭処理時もその高圧空気流発生部２の動作状態は同じであり、構成部品の機械的ストレスは少なく故障も少ないものとなり、迅速に室内空気を清浄化する。また、乾燥処理時と脱臭処理時で風路を切換える必要がなく、切換えの制御も不要であるため簡素な構成を採ることができる。なお、脱臭フィルターについては触媒により脱臭するものでもよい。
【００１９】
実施の形態２．
図４〜図６に示す本実施の形態は、実施の形態１で示した手乾燥装置及び空気清浄器に連繋動作を可能にする手だてを講じたものであり、これに係る構成以外は実施の形態１のものと同じである。従って、実施の形態１のものと同じ部分については、実施の形態１のものと同じ符号を用い、それらについての説明は省略する。
【００２０】
本実施の形態の空気清浄器Ｂは、手乾燥装置Ａの信号線９に接続し、電気信号を手乾燥装置Ａの制御回路５に外部信号として送る制御回路１７と信号線１８とによる連繋手段が備えられている。制御回路１７には汚濁検知手段として臭いセンサー１９が接続され、設置空間の臭い（雑ガス濃度）が出力値として制御回路１７に入力される。制御回路１７は臭いセンサー１９の出力値が予め設定されたＧ０値以上になると、外部信号を出力し、信号線１８により手乾燥装置Ａの制御回路５に送る。Ｇ０値は設置空間の容積の大小に基づいて任意に設定することができる。
【００２１】
手乾燥装置Ａの制御回路５は外部信号を受信したときには、図６に示すアルゴリズムに従って高圧空気流発生部２を制御する。即ち、外部信号を受信したら制御回路５は、図６におけるステップ♯１で高圧空気流発生部２の停止時間が所定時間Ｔ１秒経過したかどうかを判定し、経過したならステップ♯４の処理に進み、経過していなければ、ステップ♯２において手検知センサー１１が手を検知したかどうかを判定する。ステップ♯２で手を検知したならステップ♯３で高圧空気流発生部２を強運転させる処理をしてステップ♯２へ戻り、手を検知していなければ、ステップ♯１へ戻る。
【００２２】
ステップ♯４では、高圧空気流発生部２を弱運転させる処理をしてステップ♯５に進む。ステップ♯５では手検知センサー１１が手を検知したかどうかを判定し、検知したならステップ♯６で高圧空気流発生部２を強運転させる処理をしてステップ♯５へ戻り、手を検知していなければ、ステップ♯７で高圧空気流発生部２の運転時間が所定時間Ｔ２秒経過したかどうかを判定する。経過していればステップ♯２の処理に進み、経過していなければステップ♯４の処理に戻る。高圧空気流発生部２の停止時間Ｔ１秒、運転時間Ｔ２秒は、設置空間の容積の大小に基づいて任意に設定することができる。
【００２３】
この手乾燥装置Ａでは空気清浄器Ｂと連繋して手の乾燥処理が頻繁になされていない時に、空気の清浄化処理を間欠的に自動で行うことができ使い勝手が向上する。なお、実施の形態１のように、乾燥処理時も清浄化処理時も高圧空気流発生部２の運転状態は同じにしてもよい。これ以外の機能は実施の形態１のものと同じである。
【図面の簡単な説明】
【００２４】
【図１】手乾燥装置と空気清浄器を示す断面構成図である。（実施の形態１）
【図２】他の形態の手乾燥装置と空気清浄器を示す断面構成図である。（実施の形態１）
【図３】手乾燥装置の制御系のブロック構成図である。（実施の形態１）
【図４】手乾燥装置と空気清浄器を示す断面構成図である。（実施の形態２）
【図５】手乾燥装置と空気清浄器の制御系を示すブロック構成図である。（実施の形態２）
【図６】手乾燥装置の制御回路の制御動作を示すフローチャートである。（実施の形態２）
【符号の説明】
【００２５】
１  本体箱体、  ２  高圧空気流発生部、  ３  手挿入部、  ５  制御回路、  ６  吸気通路、  ７  吸気口、  ８  パッキン、  ９  信号線、  １３  空気清浄手段、  １４  空気通路、  １５  入口、  １６  出口、  １７  制御回路、  １８  信号線、  １９  臭いセンサー。
【図１】
2008086783.tif 000003
【図２】
2008086783.tif 000004
【図３】
2008086783.tif 000005
【図４】
2008086783.tif 000006
【図５】
2008086783.tif 000007
【図６】
2008086783.tif 000008